(57)【要約】【課題】上方に向かうにつれて壁パネルから離れるように傾斜するスライドバーの取付が容易なシャワー装置を提供する。【解決手段】湯水を吐出するシャワーヘッド８１と、上下方向に延びるスライドバー１０と、スライドバー１０に摺動可能に保持され、シャワーヘッド８１を掛け止めるフック３０とを備える。上ブラケット２１および下ブラケット２０は、スライドバー１０の側方に延び、スライドバー１０の上部および下部にそれぞれの一端部が取り付けられ、それぞれの他端部が壁パネル９２に固定される。上ブラケット２１の長さ寸法は、下ブラケット２０よりも大きく、スライドバー１０は、上部に向かうにつれて壁パネル９２から離れるように傾斜している。【選択図】図２
2018053545.tif 000002
【特許請求の範囲】
【請求項１】
湯水を吐出するシャワーヘッドと、上下方向に延びるスライドバーと、前記スライドバーに摺動可能に保持され、前記シャワーヘッドを掛け止めるフックとを備えるシャワー装置において、
前記スライドバーの側方に延び、前記スライドバーの上部および下部にそれぞれの一端部が取り付けられ、それぞれの他端部が壁パネルに固定される上ブラケットおよび下ブラケットを有し、
前記上ブラケットの長さ寸法は、前記下ブラケットよりも大きく、
前記スライドバーは、上部に向かうにつれて前記壁パネルから離れるように傾斜していることを特徴とするシャワー装置。
【請求項２】
前記上ブラケットは、上面が前記スライドバーの上部に向かうにつれて下方に傾斜していることを特徴とする請求項１に記載のシャワー装置。
【請求項３】
前記上ブラケットは、前記壁パネルに固定される上ブラケット本体、および前記ブラケット本体の上方を覆うように前記スライドバー側から取り付けられるカバー体を有し、
前記上ブラケット本体は、上方を向く案内面を有し、
前記カバー体は、前記案内面に上方から接触する被案内面を有しており、
前記案内面および被案内面の傾斜角が前記上面の傾斜角よりも小さいことを特徴とする請求項２に記載のシャワー装置。
【請求項４】
前記上ブラケットは、下面が前記スライドバーの上部に向かうにつれて下方に傾斜していることを特徴とする請求項１から３のいずれか１項に記載のシャワー装置。
【発明の詳細な説明】
【技術分野】
【０００１】
本発明は、例えば浴室で用いるシャワーヘッドを上下に摺動し保持するスライドバーを有するシャワー装置に関する。
【背景技術】
【０００２】
スライド式のシャワー装置は、シャワーヘッドを掛け止めるフックを細長い棒状のスライドバーに摺動可能に保持する。ユーザは、フックを操作してシャワーヘッドをスライドバーに沿って移動させることで、使い易い位置でシャワーヘッドを利用することができる。
【０００３】
例えば、特許文献１には、フックに操作部材が設けられ、操作部材の押し込み操作によってレバー部材が揺動し、レバー部材に連動するロック部材がスライドバーに対して圧接位置から解放位置へと後退するロック装置が開示されている。スライドバーは、上下方向に鉛直に延び、スライドバーに直角に取り付けられたブラケットによって固定されている。操作部材は、直線状の棒状部材であるフックの下面から突出するようにばねによって付勢されている。フックは、操作部材を上方へ押し込む動作によってスライドバーへのロックが外れ、押し込み動作を解除することによってスライドバーにロックする。
【０００４】
また、特許文献２には、上下方向に延びる第１スライド部、および頭上から湯水を吐出させるのに適する第２スライド部を有するスライドバーと、該スライドバーに摺動可能に保持されるフックを備えたスライドバー装置が開示されている。スライドバーは、第１スライド部の下端部で床面に固定されている。
【０００５】
また、特許文献３には、上方に向かうにつれて壁面から離れるように傾斜するスライドバーを備えたシャワー装置が開示されている。スライドバーは、上方に凸の曲線状をなし、下部が壁パネルに、上部が天井パネルに取り付けられている。
【先行技術文献】
【特許文献】
【０００６】
【特許文献１】特開２０１４−００９５６８号公報
【特許文献２】特開２０１３−０２２３８４号公報
【特許文献３】特開２００２−１０２０９９号公報
【発明の概要】
【発明が解決しようとする課題】
【０００７】
特許文献１に記載のロック装置に設けられたスライドバーは、鉛直方向に延びているため、シャワーヘッドをユーザ側に近づけることができず、頭上又は斜め上から湯水を吐出させるようなシャワー装置の使い方には不向きである。特許文献２に記載のスライドバー装置は、頭上から湯水を吐出させるのに適するものの、スライドバーが下端部で床面に固定されているため、前後方向および左右方向に振れないように、床面への固定強度を増大しなければならないという問題点があった。
【０００８】
また、特許文献３に記載のシャワー装置では、スライドバーの壁パネルへの取付位置と天井パネルへの取付位置との間の寸法精度が必要とされる。壁パネルおよび天井パネルを組立てたときに、両パネルのなす角度にずれが生じると、スライドバーの取付位置のずれが大きくなり、スライドバーの取り付けが困難になるという問題点があった。
【０００９】
本発明は、斯かる事情に鑑みてなされたものであり、その目的とするところは、上方に向かうにつれて壁パネルから離れるように傾斜するスライドバーの取付が容易なシャワー装置を提供することにある。
【課題を解決するための手段】
【００１０】
本発明に係るシャワー装置は、湯水を吐出するシャワーヘッドと、上下方向に延びるスライドバーと、前記スライドバーに摺動可能に保持され、前記シャワーヘッドを掛け止めるフックとを備えるシャワー装置において、前記スライドバーの側方に延び、前記スライドバーの上部および下部にそれぞれの一端部が取り付けられ、それぞれの他端部が壁パネルに固定される上ブラケットおよび下ブラケットを有し、前記上ブラケットの長さ寸法は、前記下ブラケットよりも大きく、前記スライドバーは、上部に向かうにつれて前記壁パネルから離れるように傾斜していることを特徴とする。
【００１１】
本発明にあっては、シャワー装置は、シャワーヘッドから湯水を吐出し、該シャワーヘッドを掛け止めるフックが、上下方向に延びるスライドバーに摺動可能に保持されている。上ブラケットおよび下ブラケットは、それぞれ一端部がスライドバーの上部および下部に取り付けられ、スライドバーの側方に延び、それぞれの他端部が壁パネルに固定される。上ブラケットの長さ寸法が下ブラケットよりも大きく、スライドバーが上部に向かうにつれて壁パネルから離れるように傾斜している。これにより、シャワー装置は、壁パネルに固定される上ブラケットおよび下ブラケットによって、上方に向かうにつれて壁パネルから離れるように傾斜するスライドバーの取付が容易になる。
【発明の効果】
【００１２】
本発明によれば、シャワー装置は、シャワーヘッドから湯水を吐出し、該シャワーヘッドを掛け止めるフックが、上下方向に延びるスライドバーに摺動可能に保持されている。上ブラケットおよび下ブラケットは、それぞれ一端部がスライドバーの上部および下部に取り付けられ、スライドバーの側方に延び、それぞれの他端部が壁パネルに固定される。上ブラケットの長さ寸法が下ブラケットよりも大きく、スライドバーが上部に向かうにつれて壁パネルから離れるように傾斜するように設けられる。このため、シャワー装置は、壁パネルに固定される上ブラケットおよび下ブラケットによって、上方に向かうにつれて壁パネルから離れるように傾斜するスライドバーの取付が容易になる。
【図面の簡単な説明】
【００１３】
【図１】本発明の実施形態に係るシャワー装置を含む浴室ユニットの外観を示す斜視図である。
【図２】本発明の実施形態に係るシャワー装置の側面図である。
【図３】上ブラケットの構成を示す側面図である。
【図４】カバー体を取り外した上ブラケットの斜視図である。
【図５】カバー体の下面側から見た斜視図である。
【図６】カバー体の側面図である。
【図７】フックの上面側から見た斜視図である。
【図８】フックの下面側から見た斜視図である。
【図９】フックの側面図である。
【図１０】ボディーシャワー浴時のシャワー装置の使用状態を説明するための模式図である。
【図１１】オーバーヘッドシャワー浴時のシャワー装置の使用状態を説明するための模式図である。
【図１２】上ブラケットの取り付けを説明するための模式図である。
【発明を実施するための形態】
【００１４】
以下、本発明を好適な実施の形態をもとに図１から図１２を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１５】
（実施形態）
図１は実施形態に係るシャワー装置１００を含む浴室ユニット１０１の外観を示す斜視図、図２は実施形態に係るシャワー装置１００の側面図である。浴室ユニット１０１は、湯を溜める浴槽９０、該浴槽９０前側に設けた洗い場床９１、壁パネル９２、シャワー装置１００を有する。浴槽９０および洗い場床９１は、四方を壁パネルによって囲まれている。洗い場床９１に接する壁パネル９２には、カウンター９３および鏡９４などのユーザが身体を洗い流す際に利用する備品類が取り付けられている。
【００１６】
シャワー装置１００は、湯水供給部８０、シャワーヘッド８１、スライドバー装置１を有する。湯水供給部８０は、水量調節つまみや温度調節つまみ等を有し、シャワーヘッド８１に供給する湯水の温度および水量を調節可能としている。シャワーヘッド８１は、ホース８２によって湯水供給部８０に接続されており、湯水供給部８０から湯水が供給される。シャワーヘッド８１には多数の小孔からなる吐水口が設けられており、ユーザの身体を洗い流す湯水を該吐水口から吐出する。シャワーヘッド８１は、スライドバー装置１によって上下方向に摺動可能に保持されており、ユーザの嗜好に応じて高さを調節できるようになっている。
【００１７】
スライドバー装置１は、スライドバー１０、下ブラケット２０、上ブラケット２１、フック３０を有する。スライドバー１０は、上下方向に延びる細長い棒状であり、軸線が壁パネル９２側で凸状となるように湾曲している。スライドバー１０は、上部に向かうにつれて、後述するフック３０の先端部３２側に傾斜し、壁パネル９２から離れるように設けられている。尚、スライドバー１０は、直線状の軸線を有し、上部に向かうにつれて、フック３０の先端部３２側に傾斜して壁パネル９２から離れるように設けてもよい。本発明において、上下方向に延びることには、直線状に延びること、および曲線状に延びることが含まれ、上下方向には鉛直方向だけでなく鉛直方向から傾いた方向が含まれる。
【００１８】
スライドバー１０は、壁パネル９２の上下方向における中央部やや洗い場床９１寄りの位置から浴室ユニット１０１の天井付近まで延びる。スライドバー１０は、下端部が下ブラケット２０に、上端部が上ブラケット２１に取付けられている。下ブラケット２０および上ブラケット２１は、それぞれ棒状をなし、一端部にスライドバー１０が取り付けられ、他端部が壁パネル９２に固定されている。下ブラケット２０および上ブラケット２１は、平面視において、壁パネル９２側からスライドバー１０に向かうにつれて縮幅する形状となっている。スライドバー１０は、下部および上部にそれぞれ下ブラケット２０および上ブラケット２１の一端部が取り付けられるが、スライドバー１０の上部および下部における端面、端部、および端部から少しずれた位置のどの箇所に、下ブラケット２０および上ブラケット２１の一端部が取り付けられていてもよい。尚、以下の説明では、主に上ブラケット２１の構成について説明するが、下ブラケット２０は、上ブラケット２１と同様な構成を上下対称に構成すればよいので、簡潔化のため記載を省略する。
【００１９】
上ブラケット２１は、一端部から他端部までの軸線方向の長さ寸法が下ブラケット２０よりも大きい。スライドバー１０は、上述のように、軸線が壁パネル９２側で凸状となるように湾曲しており、上ブラケット２１の長さ寸法が下ブラケット２０よりも大きいため、上端側が下端側に比べて壁パネル９２から離れた位置となるように取り付けられる。このため、スライドバー１０に摺動可能に保持されるフック３０は、スライドバー１０の下端側に位置する場合に比べ、上端側に位置する場合に、シャワー装置１００の前に向き合うユーザにより近づくことになる。
【００２０】
図３は上ブラケット２１の構成を示す側面図、図４はカバー体５０を取り外した上ブラケット２１の斜視図である。上ブラケット２１は、上ブラケット本体４０、および上ブラケット本体４０の上方を覆うカバー体５０を備える。上ブラケット本体４０は、一端部４１がスライドバー１０の上部に取り付けられ、他端部４２が壁パネル９２に固定されている。
【００２１】
上ブラケット本体４０は、上方に開口した細長い箱状をなし、他端部４２において、壁パネル９２に対向し、ねじの通し孔４３ａを有するフランジ４３が設けられている。上ブラケット本体４０は、フランジ４３の両側辺部から一端部４１まで延びる側板４４が底板４５の両側辺部から立ち上がるように設けられている。底板４５は、平面視において、他端部４２側から一端部４１側に向かうにつれて縮幅する形状となっている。側板４４は、一端部４１側で円弧状に湾曲して接続されている。底板４５は、一端部４１側に開口孔４５ｂを有しており、開口孔４５ｂにスライドバー１０が挿入される。
【００２２】
側板４４の上辺４４ａは、他端部４２から一端部４１に向かうにつれて下方に傾斜している。また、底板４５は、他端部４２から一端部４１に向かうにつれて下方に傾斜しており、底板４５の下面４５ａも他端部４２から一端部４１に向かうにつれて下方に傾斜している。
【００２３】
側板４４には、外面から突出する案内リブ４６が設けられている。案内リブ４６は、他端部４２から一端部４１に向かって中途部まで延びている。案内リブ４６は、上面がカバー体５０を案内する案内面４６ａとなっている。案内面４６ａは、上方を向いて形成されている。案内面４６ａは、他端部４２から一端部４１に向かうにつれて下方にやや傾斜している。案内面４６ａの傾斜角は、側板４４の上辺４４ａが他端部４２から一端部４１に向かうにつれて下方に傾斜する傾斜角よりも小さい。また、側板４４には、他端部４２付近における案内リブ４６の下方の外面に、矩形状の係止穴４７が穿設されている。
【００２４】
図５はカバー体５０の下面側から見た斜視図、図６はカバー体５０の側面図である。カバー体５０は、上ブラケット本体４０の上方を覆う天板５５、および天板５５の両側辺部から立ち下がる側板５４を有する。天板５５は、平面視において、他端部５２側から一端部５１側に向かうにつれて縮幅する形状となっている。側板５４は、一端部５１側で円弧状に湾曲して接続されている。カバー体５０は、他端部５２側から一端部５１側に向かう方向に直交する断面形状が逆Ｕ字状をなし、他端部５２側が開口している。
【００２５】
側板５４の上辺は、他端部５２から一端部５１に向かうにつれて下方に傾斜している。また、天板５５は、他端部５２から一端部５１に向かうにつれて下方に傾斜しており、天板５５の上面５５ａも他端部５２から一端部５１に向かうにつれて下方に傾斜している。
【００２６】
側板５４には、内面から突出する被案内リブ５６が設けられている。被案内リブ５６は、他端部５２から一端部５１に向かって中途部まで延びている。被案内リブ５６は、下面が上ブラケット本体４０の案内面４６ａに案内される被案内面５６ａとなっている。被案内面５６ａは、下方を向いて形成されている。被案内面５６ａは、他端部５２から一端部５１に向かうにつれて下方にやや傾斜している。被案内面５６ａの傾斜角は、天板５５の上面５５ａが他端部５２から一端部５１に向かうにつれて下方に傾斜する傾斜角よりも小さい。側板５４には、他端部５２付近における被案内リブ５６の下方の内面に、矩形状の突起部５７が設けられている。突起部５７は、上ブラケット本体４０の係止穴４７に嵌まる。
【００２７】
図７はフック３０の上面側から見た斜視図、図８はフック３０の下面側から見た斜視図、図９はフック３０の側面図である。フック３０は、スライドバー１０に嵌合する基端部３１、シャワーヘッド８１を掛け止める先端部３２、および基端部３１と先端部３２との間に屈曲した屈曲部３３を有する。フック３０は、基端部３１からスライドバー１０の側方へ延び、基端部３１から先端部３２にかけて全体として棒状をなす。屈曲部３３は、棒状のフック３０において、基端部３１と先端部３２との間の中央付近にあり、スライドバー１０の軸線方向に屈曲している。
【００２８】
フック３０の基端部３１は、上下に貫通する嵌合孔３１ａを有しており、該嵌合孔３１ａにはスライドバー１０が挿通されて嵌め合わされている。フック３０は、基端部３１の内部に設けたロック機構によってスライドバー１０に保持されており、ロックの解除により摺動可能となる。フック３０は、ロック機構を作動させるための操作部３４を下面側に有する。フック３０は、操作部３４を下方から上方へ押し込む操作によってスライドバー１０へのロックが外れて摺動可能となり、操作部３４を押し込む操作が解除されることによってスライドバー１０に保持される。操作部３４は、ばね等によって上方から下方へ向けて付勢されており、下方から上方へ押し込む操作が解除されると元の位置に戻り、フック３０がスライドバー１０に保持される。
【００２９】
フック３０の基端部３１に設けるロック機構は、例えば、スライドバー１０を押圧する押圧部材を基端部３１の内部に設け、操作部３４の上方移動に連動して該押圧部材がスライドバー１０から離れる方向に後退してロックが解除するものとすればよい。このようなロック機構は、例えば、特許文献１（特開２０１４−００９５６８号公報）および特許文献２（特開２０１３−０２２３８４号公報）等に開示された機構と同様に、構成することができる。
【００３０】
フック３０の先端部３２は、把持部３２ａおよび掛止部３２ｂを有する。把持部３２ａは、上下方向から見てＵ字状をなし、フック３０の先端側が開口している。掛止部３２ｂは、上下方向から見てＣ字状をなし、フック３０の先端側が開口している。掛止部３２ｂは、把持部３２ａの内側において、棒状をなすフック３０の軸線方向に直交する水平な軸回りに回動可能に支持されている。掛止部３２ｂの内径は、上方側で大きく下方側で小さくなるテーパ状をなす。シャワーヘッド８１は、ホース８２への接続端部がホース８２側で縮径する円錐台状をなし、掛止部３２ｂに上方から挿入し嵌め合わすようにして掛け止められる。
【００３１】
フック３０の先端側における掛止部３２ｂの開口の幅は、ホース８２の直径より大きく、シャワーヘッド８１のホース８２への接続端部の直径よりも小さい。このため、シャワーヘッド８１は、掛止部３２ｂから上方へ引き上げた後、ホース８２部分で掛止部３２ｂのフック３０の先端側における開口を通過せしめ、フック３０から抜き去ることができる。
【００３２】
掛止部３２ｂは、上述のようにＵ字状の把持部３２ａの内側に回動可能に支持されているが、限定された回動範囲内で可動して保持されるように組み合わされている。例えば、掛止部３２ｂおよび把持部３２ａは、互いに噛み合わされるギア歯状の噛合い部分を有し、一方の噛合い部分を他方に押圧されるように付勢する。掛止部３２ｂを回動させたときに、一方の噛合い部分が付勢力に抗して後退することによって、噛み合わせが外れて回動するようにしておけばよい。このような機構は、例えば特許文献１に開示されている。
【００３３】
屈曲部３３は、基端部３１と先端部３２との間の中途部に設けられている。図９に示すように、フック３０の基端部３１側の軸線Ｌ１および先端部３２側の軸線Ｌ２は交差しており、棒状のフック３０は、屈曲部３３で嵌合孔３１ａの軸線Ｌ３方向に屈曲している。このためフック３０は、上面側が凸形状、下面側が凹形状となっている。
【００３４】
先端部３２は、軸線Ｌ２が示すように、先端側に向かうにつれて下方に傾斜している。先端部３２の上面および下面は、軸線Ｌ２にほぼ平行に形成されており、先端側に向かうにつれて下方に傾斜している。また、先端部３２は、基端部３１に対して嵌合孔３１ａの軸線Ｌ３方向にオフセットした位置にある。図９に示すフック３０は、先端部３２が基端部３１に対して軸線Ｌ３方向に下方側にオフセットした位置に形成されているが、先端部３２が基端部３１に対して軸線Ｌ３方向に上方側にオフセットした位置に形成されているようにしてもよい。
【００３５】
操作部３４は、上面側の凸形状と対向する下面側に設けられており、下面側の凹形状部分の付近に位置する。ユーザは、フック３０を手で操作する場合、凸形状となっている上面側に人差し指から小指の腹を掛け、凹形状となっている下面側に設けられた操作部３４に親指の腹を掛けると操作性が良くなる。尚、フック３０は、上面側が凸形状であれば、人差し指から小指の腹を掛けやすくなるので、下面側は、凹形状でなく平坦状であってもよい。
【００３６】
次に、シャワー装置１００の動作について説明する。図１０は、ボディーシャワー浴時のシャワー装置１００の使用状態を説明するための模式図であり、図１１は、オーバーヘッドシャワー浴時のシャワー装置１００の使用状態を説明するための模式図である。図１０に示すように、フック３０をスライドバー１０の中途部から上寄りに位置させることで、ユーザは、ボディー部分にシャワーヘッド８１からの湯水を浴びるボディーシャワー浴を行うことができる。また、ユーザは、洗い場床９１に置いた椅子に座り、フック３０をスライドバー１０の中途部から下寄りに位置させて、ボディー部分にシャワーヘッド８１からの湯水を浴びることができる。
【００３７】
図１１に示すように、フック３０をスライドバー１０の上端部付近に位置させることで、ユーザは、ほぼ頭の上又は斜め上に、シャワーヘッド８１からの湯水を浴びるオーバーヘッドシャワー浴を行うことができる。スライドバー１０は、壁パネル９２の上下方向における中央部やや洗い場床９１寄りの位置から浴室ユニット１０１の天井付近まで延びており、上端部にフック３０を位置させることで、浴室ユニット１０１内の高い位置に配置できる。
【００３８】
また、スライドバー１０の軸線が壁パネル９２側で凸状となるように湾曲しているため、フック３０は、スライドバー１０上での位置が上方になるにしたがって、ユーザ側へ近づく。このため、フック３０をスライドバー１０の上端部に位置させたときに、シャワーヘッド８１をユーザの頭上近くに位置させることができる。
【００３９】
ユーザは、フック３０を手で操作する場合、凸形状となっている上面側に人差し指から小指の腹を掛け、凹形状となっている下面側に設けられた操作部３４に親指の腹を掛ける。人差し指から小指までの間にフック３０の上面側における凸形状の屈曲部３３が位置することで、屈曲部３３に指が掛かってフック３０の軸線方向へ手がずれ難くなる。ユーザは、フック３０を操作する際に手がずれ難くなるので、上下方向へフック３０を移動させる際の操作性が良くなる。
【００４０】
操作部３４は、上面側の凸形状と対向する下面側に設けられており、下面側の凹形状部分の付近に位置している。ユーザは、フック３０を手で操作する際に、凸形状となっている上面側に人差し指から小指の腹を掛け、親指の腹で操作部３４を上方へ押し込む動作を行う。ユーザは、屈曲部３３の凸形状に中指から薬指辺りを掛け、対向する下面側の操作部３４を親指で押すことにより、フック３０を指で挟む動作が行い易く、フック３０の操作性が良くなる。
【００４１】
また、操作部３４がフック３０の下面側における凹形状付近にあることにより、親指で操作部３４を上方へ押し込んだ状態で親指が凹形状に嵌まってずれ難くなるので、フック３０の操作性が良くなる。また、操作部３４がフック３０の下面側にあることで、操作部３４における隙間からフック３０内へ水やゴミなどが入り込み難い。
【００４２】
フック３０において、先端部３２は軸線Ｌ２が示すように先端側に向かうにつれて下方に傾斜している。先端部３２の上面および下面は、軸線Ｌ２にほぼ平行に形成されており、先端側に向かうにつれて下方に傾斜している。このため、シャワーヘッド８１から吐出された湯水や、フック３０を操作するユーザの手から滴る湯水がフック３０に付着した場合、付着した湯水がフック３０の先端側へと流れ落ち、フック３０の上面および下面に溜まり難く、フック３０の汚れを抑制することができる。
【００４３】
スライドバー１０が上部に向かうにつれて先端部３２側に傾斜するように設けられているので、先端部３２の上面および下面は、先端側での傾斜の程度が大きくなる。このため、フック３０に付着した湯水がフック３０の先端側へと流れ落ち易くなり、フック３０の汚れをより抑制することができる。
【００４４】
図１２は、上ブラケット２１の取り付けを説明するための模式図である。上ブラケット本体４０の一端部４１にスライドバー１０の上部を取り付けておき、上ブラケット本体４０の他端部４２におけるフランジ４３の外面を壁パネル９２に接触させる。フランジ４３に設けた通し孔４３ａにねじを通し、壁パネル９２に設けられたねじ穴に螺合させて、上ブラケット本体４０を壁パネル９２に固定する。
【００４５】
上ブラケット本体４０の上方が開口しており、かつ、上ブラケット本体４０が他端部４２側から一端部４１側に向かうにつれて下方に傾斜している。このため、作業者は、一端部４１の壁パネル９２から離れた側方およびやや下方から、フランジ４３に設けた通し孔４３ａを見通すことができる。また、ドライバー等の工具の柄部分や電動ドリル工具のヘッド部分を、上ブラケット本体４０の一端部４１側の上方に位置させることができ、ねじ締結用のドライバビットの軸長寸法が短いものを使用することができるので、取付作業を容易に行うことができる。
【００４６】
作業者は、ねじによって壁パネル９２に固定された上ブラケット本体４０にカバー体５０を被せる作業を行う。作業者は、開口している他端部５２が上ブラケット本体４０の一端部４１の側方を臨むようにカバー体５０を持ち、カバー体５０を一端部４１の側方から略水平方向に上ブラケット本体４０に挿入するようにして取り付ける。この際、カバー体５０は、被案内面５６ａが上ブラケット本体４０の案内面４６ａに接触して案内され、突起部５７が係止穴４７に嵌まり込んで、上ブラケット本体４０に係止され、取付作業が完了する。
【００４７】
とくにスライドバー１０が浴室ユニット１０１の天井付近まで延びるシャワー装置１００においては、上ブラケット本体４０およびカバー体５０の取付作業がスライドバー１０の上部の側方および下方側から行えるので、作業性がよい。
【００４８】
シャワー装置１００は、スライドバー１０が上方に向かうにつれて壁パネル９２から離れるように傾斜しているが、長さの異なる下ブラケット２０および上ブラケット２１によって壁パネル９２に取り付けられる。スライドバー１０の上部側および下部側における取付位置のずれは、壁パネル９２側ではその平面度を主として考慮すればよいので、取付時の位置ずれが小さくなり、シャワー装置１００におけるスライドバー１０の取付が容易となる。
【００４９】
カバー体５０の取付後、カバー体５０の被案内面５６ａおよび上ブラケット本体４０の案内面４６ａは、接触しているか、若干の隙間をもって対向した状態となる。ユーザ等がカバー体５０に触れて突起部５７が係止穴４７から外れた場合にも、被案内面５６ａおよび案内面４６ａの傾斜角が小さいため、被案内面５６ａが案内面４６ａに接触することで、カバー体５０の落下が防止される。尚、案内面４６ａおよび被案内面５６ａは、水平に設けられていてもよい。
【００５０】
上ブラケット２１の上面であるカバー体５０の天板５５の上面５５ａは、上述のように、他端部５２から一端部５１に向かうにつれて下方に傾斜している。このため、上面５５ａに飛散して付着した湯水が、一端部５１に向って流れ落ち、上面５５ａに溜まり難く、上ブラケット２１の汚れを抑制することができる。
【００５１】
また、上ブラケット２１の下面である上ブラケット本体４０の底板４５の下面４５ａは、上述のように、他端部４２から一端部４１に向かうにつれて下方に傾斜している。このため、下面４５ａに飛散して付着した湯水が、一端部４１に向って流れ落ち、下面４５ａに溜まり難く、上ブラケット２１の汚れを抑制することができる。
【００５２】
さらに、上ブラケット２１から流れ落ちた湯水が、フック３０に落下した場合にも、上述のようにフック３０の先端部３２が軸線Ｌ２で示すように先端側に向かうにつれて下方に傾斜しているため、フック３０に溜まり難い。これにより、シャワー装置１００の上部に湯水が溜まり難くなり、シャワー装置１００の上部の汚れを抑制することができる。
【００５３】
次に、実施形態のシャワー装置１００の特徴を説明する。
本発明の実施形態のシャワー装置１００は、湯水を吐出するシャワーヘッド８１と、上下方向に延びるスライドバー１０と、スライドバー１０に摺動可能に保持され、シャワーヘッド８１を掛け止めるフック３０とを備える。上ブラケット２１および下ブラケット２０は、スライドバー１０の側方に延び、スライドバー１０の上部および下部にそれぞれの一端部が取り付けられ、それぞれの他端部が壁パネル９２に固定される。上ブラケット２１の長さ寸法は、下ブラケット２０よりも大きく、スライドバー１０は、上部に向かうにつれて壁パネル９２から離れるように傾斜している。これにより、シャワー装置１００は、壁パネル９２に固定される上ブラケット２１および下ブラケット２０によって、上方に向かうにつれて壁パネル９２から離れるように傾斜するスライドバー１０の取付が容易になる。
【００５４】
またシャワー装置１００において、上ブラケット２１は、上面５５ａがスライドバー１０の上部、即ち一端部５１に向かうにつれて下方に傾斜している。これにより、上面５５ａに飛散して付着した湯水が、一端部５１に向って流れ落ち、上面５５ａに溜まり難く、上ブラケット２１の汚れを抑制することができる。
【００５５】
またシャワー装置１００において、上ブラケット２１が壁パネル９２に固定される上ブラケット本体４０、および上ブラケット本体４０の上方を覆うようにスライドバー１０側から取り付けられるカバー体５０を有する。上ブラケット本体４０は、上方を向く案内面４６ａを有する。カバー体５０は、案内面４６ａに上方から接触する被案内面５６ａを有する。案内面４６ａおよび被案内面５６ａの傾斜角は、上面５５ａの傾斜角よりも小さい。これにより、被案内面５６ａが案内面４６ａに接触することで、カバー体５０の落下が防止される。
【００５６】
またシャワー装置１００において、上ブラケット２１は、下面４５ａがスライドバー１０の上部、即ち一端部４１に向かうにつれて下方に傾斜している。これにより、下面４５ａに飛散して付着した湯水が、一端部４１に向って流れ落ち、下面４５ａに溜まり難く、上ブラケット２１の汚れを抑制することができる。
【００５７】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５８】
１０  スライドバー、  ２０  下ブラケット、  ２１  上ブラケット、
３０  フック、  ４０  上ブラケット本体、  ４５ａ  下面、  ４６ａ  案内面、
５０  カバー体、  ５５ａ  上面、  ５６ａ  被案内面、
８１  シャワーヘッド、  ９２  壁パネル、  １００  シャワー装置。
【図１】
2018053545.tif 000003
【図２】
2018053545.tif 000004
【図３】
2018053545.tif 000005
【図４】
2018053545.tif 000006
【図５】
2018053545.tif 000007
【図６】
2018053545.tif 000008
【図７】
2018053545.tif 000009
【図８】
2018053545.tif 000010
【図９】
2018053545.tif 000011
【図１０】
2018053545.tif 000012
【図１１】
2018053545.tif 000013
【図１２】
2018053545.tif 000014